(57)【特許請求の範囲】
【請求項１】
ネットワークを介してサーバから表示スケジュールと、データ識別コードを含んだ画面データとを受信する受信部と、
前記受信部により受信された画面データと表示スケジュールを蓄積する蓄積部と、
インターネットを介して前記サーバとは別の情報ベンダーから電子データにより複数の市況データを取得する外部データ取得部と、
前記外部データ取得部により取得された複数の市況データを蓄積する市況蓄積部と、
前記蓄積部により蓄積された画面データに対して、前記市況蓄積部に蓄積されている複数の市況データの中から前記データ識別コードに対応する所定の市況データを抜き出して組み込む市況識別部と、
前記蓄積部に蓄積された前記表示スケジュールに基づいて前記画面データの表示を行う表示制御部と
を備える情報表示装置。
【請求項２】
サーバと情報ベンダーと複数の情報表示装置から構成される情報表示システムであって、
前記情報表示装置の各々は、ネットワークを介して前記サーバから表示スケジュールと、データ識別コードを含んだ画面データとを受信する受信部と、前記受信部により受信された画面データと表示スケジュールを蓄積する蓄積部と、インターネットを介して前記サーバとは別の情報ベンダーから電子データにより複数の市況データを取得する外部データ取得部と、前記外部データ取得部により取得された複数の市況データを蓄積する市況蓄積部と、前記蓄積部に蓄積された画面データに対して、前記市況蓄積部に蓄積されている複数の市況データの中から前記データ識別コードに対応する所定の市況データを抜き出して組み込む市況識別部と、前記蓄積部に蓄積された前記表示スケジュールに基づいて前記画面データの表示を行う表示制御部とを備え、
前記サーバは、前記複数の情報表示装置それぞれに対して、各表示装置毎に表示したい表示スケジュールと、データ識別コードを含んだ画面データとを送信する送信部を備える情報表示システム。
【発明の詳細な説明】
【０００１】
【発明の属する技術分野】
本発明は、証券や金融などの相場情報等（以下、コンテンツという）を表示する情報表示装置及び情報表示システムに関し、特に、コンテンツを所定のスケジュールに従って表示する情報表示装置及び情報表示システムに関するものである。
【０００２】
【従来の技術】
相場情報などの市況データのコンテンツを表示する情報表示装置は、例えば、特開平１１−１８４９０９号公報などに開示されている。この公報の技術によれば、表示装置がスケジュール表を参照して、受信情報の中から現在時刻に対応する抽出条件を満たす関連情報を抽出し、現在の相場情報と関連情報とを対応させて同一画面上に表示させる。これによって、ユーザは、特別なキー操作を行わなくても、同一画面上で必要な相場情報とその関連情報とを対応付けて見ることができる。一般的に、このような情報表示装置においては、サ−バが文字やグラフィックや静止画や動画や音声やニュースなどのコンテンツを組み込んだ画面データに対して、表示順序などを表示スケジュールとして登録しておき、サーバから表示装置に対して画面データと表示スケジュールとを伝送する。つまり、サ−バが専用回線によって、外部より相場情報などの市況データを取得し、予め用意されている画面データのスケジュール表に合わせて、指定された設定で画面を自動的に更新して表示装置への表示を行っている。
【０００３】
図６は、証券市場における従来の情報表示装置のネットワーク構成図である。同図において、サ−バを備える本店６１が複数の支店６５ａ，６５ｂ…６５ｎとイントラネットなどのネットワーク６３によって接続されている。また、本店６１のサーバは、それぞれ専用回線６４ａ，６４ｂ…６４ｎを介して、株式相場情報などの市況データを提供する複数の情報ベンダー６２ａ，６２ｂ…６２ｎに接続されている。このような構成において、本店６１のサーバは、複数の情報ベンダー６２ａ，６２ｂ…６２ｎから市況データをリアルタイムで取得する。そして、各支店６５ａ，６５ｂ…６５ｎの表示装置は、本店６１のサーバで作成された表示スケジュールに従って、本店６１のサーバ経由で複数の情報ベンダー６２ａ，６２ｂ…６２ｎからの市況データを取得し表示している。
【０００４】
【発明が解決しようとする課題】
上記従来の情報表示装置では、本店の備えるサーバが専用回線６４ａ，６４ｂ…６４ｎを介して市況データを取り込んでいる。そして、サーバが取り込んだ市況データによって画面データを作成し、表示スケジュールと共に支店の表示装置への配信を行い、表示装置に市況データのコンテンツ等を表示させている。このように、本店のサーバ経由で支店へコンテンツ等を配信する場合、情報ベンダーから市況データのコンテンツ等を取り込むための専用回線と情報を表示する専用端末とが必要となるため、新たな費用が発生すると共に、専用端末の設置場所の確保や設置工事が必要となる。
【０００５】
本発明は、このような事情に鑑みてなされたものであり、支店の表示装置が直接、インターネットなどの公衆回線から市況データを取得し、画像データの表示スケジュールに合わせてコンテンツを自動更新して表示させることにより、専用端末やその設置場所や設置工事などを不要にすることを目的としている。
【０００６】
【課題を解決するための手段】
上記の課題を解決するために、本発明は、ネットワークを介してサーバから表示スケジュールと、データ識別コードを含んだ画面データとを受信する受信部と、前記受信部により受信された画面データと表示スケジュールを蓄積する蓄積部と、ネットワークを介して前記サーバとは別のコンテンツベンダから電子データにより複数のコンテンツを取得するコンテンツ取得部と、前記コンテンツ取得部により取得された複数のコンテンツを蓄積するコンテンツ蓄積部と、前記蓄積部に蓄積された画面データに対して、前記コンテンツ蓄積部に蓄積されている複数のコンテンツの中から前記データ識別コードに対応する所定のコンテンツを抜き出して組み込むコンテンツ識別部と、前記蓄積部に蓄積された前記表示スケジュールに基づいて前記画面データの表示を行う表示制御部とを備えるものである。
【０００７】
また、本発明は、サーバと複数の情報表示装置から構成される情報表示システムであって、前記情報表示装置の各々は、前記サーバからネットワークを介して表示スケジュールと、データ識別コードを含んだ画面データとを受信する受信部と、前記受信部により受信された画面データと表示スケジュールを蓄積する蓄積部と、ネットワークを介してコンテンツベンダから電子データにより複数のコンテンツを取得するコンテンツ取得部と、前記コンテンツ取得部により取得された複数のコンテンツを蓄積するコンテンツ蓄積部と、前記蓄積部に蓄積された画面データに対して、前記コンテンツ蓄積部に蓄積されている複数のコンテンツの中から前記データ識別コードに対応する所定のコンテンツを抜き出して組み込むコンテンツ識別部と、前記蓄積部に蓄積された前記表示スケジュールに基づいて前記画面データの表示を行う表示制御部とを備え、前記サーバは、前記複数の情報表示装置それぞれに対して、各表示装置毎に表示したい表示スケジュールと、データ識別コードを含んだ画面データとを送信する送信部を備えるものである。
【０００８】
このような構成によれば、支店では、例えばリアルタイムで所望のコンテンツの表示を行うことができると共に、支店と情報ベンダー間の専用回線が不要となると共に専用端末が不要となってコストの削減化を図ることができる。
【０００９】
なお、実施の形態においては、例えば支店の備える表示手段は、本店の備えるサーバから表示スケジュールを受信する共に、支店の表示手段毎に、情報源となる情報ベンダーよりコンテンツを取得し、取得した表示スケジュールとコンテンツとを組み合わせて表示を行っている。つまり、受信した表示スケジュールに従って、受信したコンテンツを表示している。
【００１０】
また、実施の形態において、表示手段は複数設置されており、コンテンツ等は相場情報に関する市況データやそれらに関連する情報、例えば画像や市況の値等であり、且つ、表示スケジュールは、市況データに関する関連情報の表示タイミング及び市況データの更新タイミングを設定するためのスケジュールであって、複数の表示手段は、個別に、表示スケジュールに従って、市況データに関する関連情報の表示と市況データの更新とを行っている。
【００１１】
【発明の実施の形態】
以下、図面を用いて、本発明の実施の形態を説明する。図１は、本発明の一実施の形態における証券市場の情報表示システムの構成図である。同図において、サーバを備える本店１が株式相場情報などの市況データを提供する複数の情報ベンダー２ａ，２ｂ…２ｎとインターネットなどの公衆回線３によって接続されている。また、本店１のサーバは、それぞれイントラネット等のネットワーク４を介して、各支店５ａ，５ｂ…５ｎの表示装置に接続されている。さらに、各支店５ａ，５ｂ…５ｎの表示装置は、それぞれ、インターネットなどの公衆回線６ａ，６ｂ…６ｎによって情報ベンダー２ａ，２ｂ…２ｎや本店１のサーバと接続可能である。
【００１２】
このような構成において、本店１のサーバは、複数の情報ベンダー２ａ，２ｂ…２ｎから市況データをリアルタイムで取得すると共に、市況データを表示するための表示スケジュールを作成し、ネットワーク４を介して各支店５ａ，５ｂ…５ｎの表示装置へ表示スケジュールを送信している。また、各支店５ａ，５ｂ…５ｎの表示装置は、公衆回線６ａ，６ｂ…６ｎを介して情報ベンダー２ａ，２ｂ…２ｎから市況データなどのコンテンツを受信している。つまり、各支店５ａ，５ｂ…５ｎの表示装置は、本店１のサーバで作成された表示スケジュールに従って、情報ベンダー２ａ，２ｂ…２ｎから取得した市況データを表示している。
【００１３】
図２は、図１に示す情報表示装置の１つの構成を示すブロック図である。本発明の情報表示装置のハード的構成は、市況データなどを提供する情報ベンダー２と入力装置１１及びサーバ１２は公衆回線３によって接続され、情報ベンダー２と表示装置１３は公衆回線６によって接続され、さらに、サーバ１２と表示装置１３はイントラネット等のネットワーク４によって接続されている。
【００１４】
図３は、図２における入力装置１１の構成を示すブロック図であり、図４は、図２におけるサーバ１２の構成を示すブロック図である。また、図５は、図２における表示装置１３の構成を示すブロック図である。図３において、入力装置１１は、動画、絵、文字、音声等のデータを取り込み、画面データを作成する操作部２２と、これら画像データを表示するための表示スケジュールを編集する編集部２０と、編集された表示スケジュールと共に画面データをサーバ１２ヘ送信する送信部２６とによって構成されている。また、編集部２０は、作成データ２１を入力して画面データを手動作成して登録するための作成データ登録部２３と、登録された画面データに基づいて、表示したい順番に画面データを組み合わせて表示スケジュールを作成する表示スケジュール作成部２４と、表示スケジュール毎に、表示したい表示スケジュールと表示スケジュールに設定されている画面データを選択して設定する表示スケジュール設定部２５とによって構成されている。
【００１５】
図４において、サーバ１２は、入力装置１１から送られてくる画面データと表示スケジュールとを受信したり、図示しない外部端末からのデータを受信したりする受信部３１と、受信部３１が受信した受信データを蓄積するデータ蓄積部３２と、データ蓄積部３２の蓄積データを表示装置１３へ配信する送信部３６と、市況データの取得時間や取得間隔や配信時間や配信間隔や配信抑止間隔などを設定する市況データ設定部３４と、図示しない電話回線などを経由して、更新されている市況データをインターネットの指定された場所から取得する外部データ取得部３３と、市況データ設定部３４で設定されている内容に基づいて、データ蓄積部３２に蓄積されている市況ファイルを解析するデータ解析部３５とによって構成されている。
【００１６】
図５において、表示装置１３は、サーバ１２とネットワークを介して接続され、サーバ１２の送信部３６から送信された画面データと表示スケジュールを受信する受信部４１と、受信部４１から画面データと表示スケジュールを受け取って蓄積する蓄積部４２と、サーバ１２の送信部３６から送信された市況ファイルを取り込む外部データ取得部４７と、外部データ取得部４７が取り込んだ市況ファイルを蓄積する市況蓄積部４５と、データ識別コードを含んだ画面データに対して、市況蓄積部４５に蓄積されている市況ファイルの中からデータ識別コードに対応する市況データを抜き出して組み込ませる市況識別部４６と、蓄積部４２に蓄積されている表示スケジュールを表示装置１３の内部時計とつき合わせて、表示スケジュールの解析を行う表示スケジュール解析部４４と、蓄積部４２に蓄積されている画面データの表示制御を行う表示制御部４３と、画面データの表示を行う表示部４８とによって構成されている。
【００１７】
次に、図２〜図５を用いて、実施の形態の動作を説明する。先ず、事前に、サーバ１２の市況データ設定部３４にて、外部データ取得装置（つまり、表示装置１３）の選択と、インターネットの取得アドレス、市況データを格納するフォルダ名、データの取得時間、取得間隔、取得項目の選択、及びデータ識別コードなどの設定を行う。
【００１８】
次に、入力装置１１の編集部２０内にある作成データ登録部２３にて、手動によって作成した画面データの登録を行う。ここで、画面データのデータ内容は、ＪＰＥＧ（Joint Photographic Experts Group）、ＭＰＥＧ（Motion Picture Experts Group）、ＧＩＦ（Graphics Interchange Format）、ＨＴＭＬ（Hyper Text Markup Language）などを含めて公知の技術を用いるため、その作成方法や内容については問わない。尚、市況データについては、サーバ１２の外部データ取得部３３より取り込み、市況データ設定部３４にて設定したデータ識別コードを、ＨＴＭＬ上に公知の技術と共に自由に組み込んで、画面データを作成する。
【００１９】
さらに、入力装置１１の編集部２０が備える表示スケジュール作成部２４によって、作成データ登録部２３に登録された画面データを基に、表示したい順番に画面データを組み合わせて表示スケジュールを作成する。そして、表示装置１３毎に、表示したい表示スケジュールと表示スケジュールに設定された画面データを選択し、それぞれの表示装置１３毎に区分して、表示スケジュールと対応する画面データとを編集部２０が備える表示スケジュール設定部２５に設定する。
【００２０】
そして、入力装置１１にて設定された画面データや表示スケジュールは、送信部２６によりネットワークを介してサーバ１２に送信される。この１つののプロトコルは、ＴＣＰ／ＩＰなどの公知の技術を用いるため内容は問わない。尚、上述の説明では入力装置１１とサーバ１２を別々に分けたが、入力装置１１とサーバ１２を同一のハード内でまとめても同様の動作を行うことができる。
【００２１】
次に、サーバ１２の受信部３１が入力装置１１の送信部２６から送信された画面データや表示スケジュールを受信する。そして、受信部３１で受信した画面データや表示スケジュールは、１つ１つ個別にデータ蓄積部３２に蓄積される。さらに、データ解析部３５がデータ蓄積部３２に蓄積された画面データや表示スケジュールを表示装置１３毎に解析する。そして、解析された画面データや表示スケジュール及び市況ファイルは、サーバ１２のデータ解析部３５によってデータ蓄積部３２より順次取り出されて送信部３７に送られ、送信部３７より表示装置１３へ送信される。転送プロトコルはＴＣＰ／ｌＰなどの公知の技術を用いるため内容は問わない。
【００２２】
また、サーバ１２に外部データ取得部３３が設けられている場合は、市況データ設定部３４で設定されている情報に基づいて、外部データ取得部３３が、電話回線などを経由して、インターネットの指定された場所より更新された市況データを取得する。更新日時の比較や前回取得データの削除などの更新状況の確認方法はどのような方法であっても構わない。このようにして取得された市況データは、項目毎に１つの市況ファイルとしてまとめられてデータ蓄積部３２に蓄積される。
【００２３】
サーバ１２のデータ解析部３５は、データ蓄積部３２に蓄積されている市況ファイルを、市況データ設定部３４に設定されている内容に基づいて解析し、順次、送信部３６より表示装置１３へ送信する。尚、サーバ１２の市況データ設定部３５では、市況データの取得時間や取得間隔や配信時間や配信間隔や配信抑止などの設定がなされている。また、画面データ更新の場合は、変更があった画面データのみが各々の表示装置１３へ送信される。
【００２４】
このようにして、サーバ１２の送信部３６から送信された画面データや表示スケジュールは表示装置１３の受信部４１によって受信され、さらに蓄積部４２に蓄積される。また、サーバ１２の送信部３６から送信された市況ファイルは、表示装置１３の受信部４１によって受信されて蓄積部４５に蓄積される。
【００２５】
表示装置１３の表示スケジュール解析部４４は、蓄積部４２に蓄積されている表示スケジュールを表示装置１３の内部時計とつき合わせてスケジュールの解析を行い、表示制御部４３が、解析された表示スケジュールに合わせて、蓄積部４２に蓄積されている画面データの表示制御を行う。
【００２６】
また、市況識別部４６が、データ識別コードを含んだ画面データに対して、市況蓄積部４５に蓄積されている市況ファイルの中からデータ識別コードに対応する市況データを抜き出して組み込ませる。
【００２７】
さらに、表示装置１３に外部データ取得部４７が設定されている場合は、その外部データ取得部４７が、サーバ１２の市況データ設定部３４で設定された市況データの取得を行う。この１つの、外部データ取得部４７は、電話回線などを経由して、インターネットの指定された場所より更新されている市況データの取得を行う。尚、サーバ１２の市況データ設定部３４のアドレスは表示装置１３毎に設定される。この１つの、更新日時の比較や前回取得データの削除などの更新状況の確認方法はどのような方法であってもよい。また、表示装置１３の外部データ取得部４７で取得された市況データは、項目毎に１つの市況ファイルとしてまとめられて市況蓄積部４５に蓄積される。
【００２８】
以上述べた実施の形態は本発明を説明するための一例であり、本発明は、上記の実施の形態に限定されるものではなく、発明の要旨の範囲で種々の変形が可能である。例えば、本店のサーバから支店の表示装置へ送信されるデータには、画面テンプレート、画像・音声・ＶＴＲ等の素材、スケジュール情報、制御装置の電源制御情報、外部情報取得設定ファイルなどが挙げられる。また、表示装置における外部からの受信データとしては、ニュースデータ、株価データ、指標データ、投資信託データなどが挙げられる。
【００２９】
尚、上記の外部情報取得設定ファイルには、外部接続をサーバ側でするか制御装置側でするかの設定ファイルや、外部情報取り込み先ＵＲＬ、ユーザ名、パスワード、取得間隔などを設定したファイルなどが挙げられ、外部から取得する情報は受信データのみである。従って、受信データは、サーバであるか制御装置であるかの接続先の如何にかかわらず、サーバから送られてくる画面テンプレートに埋め込まれている記号に対応するデータをはめ込み表示させる。
【００３０】
【発明の効果】
以上説明したように、本発明によれば、リアルタイムで所望の市況データやその関連情報の表示を行うことができると共に、従来のシステムに対して新たな専用端末を設置する必要はないので、専用回線費用や設置工事費用を新たに発生させることなく、リアルタイムで所望の株式情報やその関連情報を表示させることができる。
【図面の簡単な説明】
【図１】本発明の一実施の形態における証券市場の情報表示システムの構成図である。
【図２】図１に示すサーバの構成を示すブロック図である。
【図３】図２における入力装置の構成を示すブロック図である。
【図４】図２におけるサーバの構成を示すブロック図である。
【図５】図２における表示装置の構成を示すブロック図である。
【図６】証券市場における従来の情報表示装置のネットワーク構成図である。
【符号の説明】
１  本店、２，２ａ，２ｂ〜２ｎ  情報ベンダー、３  公衆回線、４  ネットワーク、５ａ，５ｂ〜５ｎ  支店、６，６ａ，６ｂ〜６ｎ  公衆回線、１１  入力装置、１２  サーバ、１３  表示装置、２０  編集部、２１  作成データ、２２  操作部、２３  作成データ登録部、２４  表示スケジュール作成部、２５  表示スケジュール設定部、２６  送信部、３１  受信部、３２  データ蓄積部、３３  外部データ取得部、３４  市況データ設定部、３５  データ解析部、３６送信部、４１  受信部、４２  蓄積部、４３  表示制御部、４４  表示スケジュール解析部、４５  市況蓄積部、４６  市況識別部、４７  外部データ取得部、４８  表示部。
【図１】
0004223713.tif 000002
【図２】
0004223713.tif 000003
【図３】
0004223713.tif 000004
【図４】
0004223713.tif 000005
【図５】
0004223713.tif 000006
【図６】
0004223713.tif 000007